(57)【要約】  本発明は、一般的には飲用容器と併用するふた（１０、１００）及び具体的には飲料の漏出を無くせないまでも最少化する一方、ふたを通して飲料を摂取できるふたに関する。また、ふたは開口部を密閉するフラップ（５０、１３０）も備える。
2007502758.tif 000002
【特許請求の範囲】
【請求項１】
容器用の一枚ぶたであって、前記ふたは：
ほぼ円形の周縁を有している最上壁と；
その周縁を囲んで前記最上壁に垂れ下がっている環状側壁と；
側壁の底部で飲用容器のへりと密閉係合している環状取付け部分とを具備していて；
前記ふたは、前記ふたを除去せずに容器から飲むことを可能にし、前記周縁に隣接してそこにある飲用開口部を有していて；
前記最上壁は、前記飲用開口部に隣接し、前記容器から飲んでいる人の上唇を受入れるための凹部部分を含んでいて；
また前記ふたは；
前記飲用開口部から離れていて、前記最上壁上に位置決めされている少なくとも一つの通気孔；及び
前記ふたと一体にちょうつがいで連結されるフラッップとを具備していて；
前記フラップは、被覆状態にあるときは前記フラップが前記飲用開口部と通気孔とを覆うことができる大きさを有していて、前記フラップは、前記飲用開口部内部に収納されるよう位置決めされるボタンと、前記通気孔内部に収納されるよう位置決めされる少なくとも一つのプラグとを備える下部側面を有していて、また前記ボタンが前記飲用開口部に収納されるとき、前記フラップは被覆状態に維持される；
容器用の一枚ぶた。
【請求項２】
フラップは、最上壁と凹部部分との間の接合部付近の最上壁にちょうつがい式に係合される、請求項１に記載のふた。
【請求項３】
通気孔は、ふたの凹部部分に位置決めされる、請求項１に記載のふた。
【請求項４】
通気孔は、最上壁上に位置決めされる、請求項１に記載のふた。
【請求項５】
フラップは、ふたの中心部分とちょうつがい式に係合される、請求項１に記載のふた。
【請求項６】
最上壁は、飲用開口部に向き合って位置決めされる切り欠き部分を含む、請求項１に記載のふた。
【請求項７】
最上壁は、飲用開口部とふたの直径とを通って延びている線から外れて位置決めされる一対の通気孔を含む、請求項１に記載のふた。
【請求項８】
フラップは、最上壁の一対の通気孔により収納されるよう位置決めされる一対のペグを備えた下部側面を有する、請求項７に記載のふた。
【請求項９】
フラップは、切り欠き部分に収納されるように寸法決めされまた位置決めされる、請求項６に記載のふた。
【請求項１０】
フラップが被覆状態にあるとき、フラップのボタンとプラグは、耐漏洩性と耐落下衝撃性になっている容器とキャップとの集合体をもたらすよう十分に成形される、請求項１に記載のふた。
【請求項１１】
飲用容器の開放上端上に横たわりまたほぼ覆う大きさにありまたそこに形成される飲用開口部を有しているふたを具備していて；
前記ふたは、その周縁を囲う最上壁から垂れ下がっている環状側壁と側壁の底部で前記飲用容器の前記へりと密閉係合している環状取付け部分とを有していて；
また前記ふたは、飲用開口部から離れていて、前記最上壁上に位置決めされる少なくとも一つの通気孔；及び
ボタンと少なくとも一つのプラグとを備える下部側面を有しているフラップとを具備していて；
前記フラップの長さは前記ボタンが前記飲用開口部上に横たわることができるに十分であり、また前記ボタンは前記飲用開口部を閉鎖するため飲用開口部内部に収納される大きさでありまた少なくとも一つのプラグは前記通気孔内部に収納される大きさであり、ユーザが前記飲用開口部から前記飲用プラグを除去したりあるいは挿入したりすることにより前記ふたを開放及び閉鎖できる；
再閉鎖可能なふた。
【請求項１２】
飲用ボタンは、飲用ボタンが飲用開口部内部にスナップ式に適合するように飲用開口部以上の大きさを備える部分を有する、請求項１１に記載の再閉鎖可能なふた。
【請求項１３】
ふたは、使い捨てである材料から成る、請求項１１に記載の再閉鎖可能なふた。
【発明の詳細な説明】
【技術分野】
【０００１】
本発明は、一般的には、飲用容器と併用して使用するための耐漏洩性のふたに関し、また具体的にはふたを通して飲料を摂取できるふたに関する。事例において、ふたは開口部を密閉するフラップを備えている。
【背景技術】
【０００２】
使い捨てコーヒーカップなどの使い捨て飲用容器用のふたは、当技術分野においては周知である。多くの飲料が家庭と職場の間など通行中に消費される。したがって、飲料の漏出を最少化しないまでも低減する一方、飲料を摂取できるふたを提供する必要性が生ずる。後者の関心を増進することは興味深い。それは、上述したように、例えば、車中、歩行中、運動中、あるいは公的交通機関に搭乗中など消費者が活動中に飲料が摂取されるためである。
【発明の開示】
【発明が解決しようとする課題】
【０００３】
本発明に従うと、飲料の漏出を大幅に低減する一方、消費者がふたを通して飲むことができるようにする、使い捨て飲料容器用の耐漏洩性のふたが提供される。ある実施態様において、ふたは、容器の上縁を握るための取付け部分、取付け部分から上部に拡がっている側壁、最上壁、及び飲料を摂取する開口部を含んでいる。この配置（ふたに少なくとも一つの通気孔の設備を含んでいる）により、飛沫や零れによる好ましくない結果を少なくとも低減するふたは（飲用開口部を除いて）ほぼ閉鎖される。
【０００４】
さらに別の実施態様において、それを通して飲料が摂取される飲用開口部に隣接して凹部が配備される。凹部は消費者の上唇に対応する。さらにふたはフラップを備え、フラップはふたと一体にちょうつがいで連結されまた耐漏洩性の飲用容器を提供している開口部をフラップが覆う被覆状態に変える。ある特殊な実施態様において、フラップは開口部に収納されるボタンを備え、またフラップを被覆状態に維持するようにそれらと擦られるように係合する。別の特殊な実施態様において、通気孔がふたに形成され、飲用開口部を通る液体の流れを促進するための容器中への空気流動を可能にする。別の実施態様において、通気孔は凹部に形成され、また、フラップが被覆状態にあるとき、通気孔を密閉するプラグがフラップ上に配備される。
【０００５】
本発明のある実施態様において、ふたは、もし描かれるなら飲用開口部とふたの直径とを通過する線から外れて位置決めされる通気孔を提供される。例えば、フラップの下部側面は、通気孔内部に収納される大きさにありまた位置決めされる一対のペグを提供される。ふたが閉鎖されまたペグが通気孔内部に収納されるとき、ふたは固定され、閉鎖された状態に維持される。
【０００６】
さらに別の実施態様において、フラップの最上側面は少なくとも一つのペグを提供され、またふたの切離し部分は、フラップの最上側面上に位置決めされるペグを収納する大きさにありまた位置決めされる開口部を提供される。ペグが通気孔の開口部に収納されるフラップの最上側面に位置決めされるとき、ふたは開放状態に固定できる。実施態様の図は端部に及んで延びているフラップを示すが、フラップの末端部がふたの端部を超えて延びないようにフラップを短縮できることは当業者には容易に明らかである。
【発明を実施するための最良の形態】
【０００７】
本発明は一般的に、耐漏洩性である飲用容器用のふた１０において実施される。ふた１０は様々な型の容器と共に使用され、またコーヒーや類似品などの飲料用の持ち帰り用容器として一般的な型の使い捨て容器での使用に特に適する。この容器は一般に、発泡スチロール、紙、あるいはプラスチックを含む材料から作られるが、それらに限定されない。
【０００８】
ふた１０は容器（示されていない）に取付けられ、また容器との係合を形成する。ある実施態様において、ふたは、容器（示されていない）の縁あるいはへりと係合する環状リング１８により容器の所定位置に取付けられる。開口部２０は、ふた１０を除去せずに容器12から飲むことができるよう配備される。
【０００９】
ふた１０は、取付け部分１８から上方に拡がっている環状側壁２４と、ふた１０の最上部に及び拡がっていてまた側壁２４に隣接するほぼ円形の周縁２８を有している最上壁２６とを含み、また飲用開口部２０は、最上壁２６の周縁２８に隣接している。図示された実施態様において、開口部２０は最上壁２６を貫通して形成される。別の実施態様（示されていない）に従うと、開口部は最上壁２６の周縁２８のすぐ下の側壁２４に形成される。飲用開口部２０は、人が下唇をふた１０の底端部２２と接触せずに、開口部２０から飲めるように位置決めされる。
【００１０】
凹部３０は、ユーザの上唇に対応するように飲用開口部２０に隣接する最上壁２６に形成される。これは、口の中心にふたの開口部を基本的に位置決めして人が容器から飲むことを可能にし、飲んでいる間の漏出を無くせないまでも低減する。
【００１１】
容器と係合しているふたに関係しているある実施態様において、取付け部分１８は、容器１２のへりのビーズを握るため設定される弾力のある環状の保持部分３２を含む。この配置は、保持部分３２と容器のへりのビーズとの間にシールを形成する。また、取付け部分１８は、保持部分３２に垂れ下がっていて、容器にふたの取付けを容易にする外部へ張出したスカート３４も含む。ふた１０が容器のへりに向かって下方に押されると、スカート３４は、開放状態へふたを心出ししたり保持部分３２を撓ましたりするのに役立ち、ビーズ全体にそれが適合することを可能にしている。ある実施態様において、環状チャネル３６は、保持部分３２と、側壁２４の底部との連接部で確定され、環状チャネルはもしこの液体が側壁２４を伝って下に漏れるなら少量の液体が保持されることを可能にしている。
【００１２】
さらに別の実施態様において、人がふた１０の下端部２２を下唇２３と接触せずに開口部２０を通して飲むことができるに十分な距離だけ、開口部２０がふた１０の下端部２２から離間されることを可能にするため、側壁２４は取付け部分１８から予め設定された距離まで上方へ拡がっている。ある実施態様において、側壁２４は円錐台の形状であり、取付け部分から最上壁２６まで上方及び半径方向内側に傾斜している。
【００１３】
別の実施態様において、通気孔３８は、凹部３０の底面４３と最上壁２６との間に拡がっている、傾斜表面４６に形成される。最上壁２６の平坦部分４１は、十分に耐久性があるよう製作できる。縁４０の内径は、容器１２の底部直径よりも僅かに大きく、また平坦部分は、縁４０により囲まれる面積の半分より大きな面積に及ぶ。擁壁４２もまた配備される。
擁壁４２は通気孔３８を通って平坦部分４１に漏れ出す液体を保持し、この液体が側壁２４を伝って漏れないようにする。
【００１４】
さらなる実施態様において、平坦部分４１は、擁壁４２により画定されるアーチ形部分と凹部３０により画定される直線部分とを含んでいるほぼＤ形状の周縁を有する。ある事例において、アーチ形部分は約１８０°よりも大きい角度に画定するのが好ましく、その結果、平坦部分４１が縁４０の内径よりも僅かに小さい底部径を有している容器１２を安定して支える。
【００１５】
飲用開口部２０は縁４０に形成される。飲用開口部２０を通しての、不慮の液体の飛沫や零れを無くせないまでも低減するため、飲用開口部は相対的に小さい。
【００１６】
ある事例において、凹部は飲用開口部２０に隣接しまたその半径方向内向きに形成される。容器から飲んでいる人の上唇に対応しているのに加えて、凹部３０は飲用開口部２０を通しての液体の跳ね返りも防止する。
【００１７】
凹部３０は、縁４０から下方へ拡がる壁４４により画定される。別の配置において、壁は縁４０から半径方向内向きにも拡がる。凹部３０は側壁２４の高さよりも僅かに小さい深さを有する。これは、最上壁２６の最下部が容器の液体に接触せずにふた１０を容器全体上に配置することを可能にする。
【００１８】
凹部３０の形状は、ふたを成型を困難にするこうとなく、容器から飲んでいる人の上唇に対応するようにできる。第一傾斜面４６の傾きは、その下部側面（即ち、飲料が向合っている側面）が容器が傾けられるとき液体を収集しにくい傾きである。上述の凹部３０の形状の別の利点は、入れ子式の関係においてふた１０の積層を妨げないことである。
【００１９】
ふたはさらに、ちょうつがい式のフラップ５０を備えていて、フラップ５０は飲用開口部２０内部に収納されるようになっていて、また耐漏洩性シールを形成するため開口部に挿入されるときそこと締まり嵌めを形成するようにする。フラップ５０は、最上壁２６と傾斜面４６との接合部の付近において、ちょうつがい６０によりふたの最上壁２６上でふた１０へ取付けられる。
フラップは、縁４０上に位置する開口部２０を覆うためちょうつがいの位置から拡がるように十分に長くまた十分に広い。ある実施態様において、ボタン５２はフラップの下部側面に位置し、また前述のように、縁の開口部２０に合った大きさと形状を有する。また、ボタン５２は、ボタンが開口部に挿入されるとき、ボタンがそこと締まり嵌めを形成するように十分な大きさと形状にあり、その結果フラップを開口部上方に維持する。
【００２０】
さらに別の実施態様において、通気孔３８が凹部部分に配備される。通気孔がふたに含まれ次にプラグあるいは類似の器具５６がフラップの下部側面に配備されるとき、その結果ふたが被覆状態にあるとき、プラグ５６は通気孔を塞ぎまた従って耐漏洩性シールを形成する。
フラップと容器の間のちょうつがいは成型段階において形成できる。
【００２１】
ある実施態様において、ふた１０は一枚のプラスチック構造から成る。ふたは、真空成形によるなど、熱成形工程により製作されてもよい。真空成形工程が達成された後、さまざまな開口部がふたに形成される。ある実施態様において、飲用開口部２０はポンチとダイスにより形成される。別の実施態様において、飲用開口部２０よりも小さいのが好ましい通気孔３８は、ふた１０の最上壁２６に尖頭工具を用いて穿孔することにより簡単に形成されてもよい。
【００２２】
ふた１０の材料の厚さは、ふたの保持部分による容器のへりとの緊密な係合を容易にするに十分に柔軟にできる一方、十分な強度を与えるよう選定される。また、上述のように、ふたは相対的に少量の材料を必要とするだけで、ふたは経済的に製作できるようになっている。
【００２３】
ここに説明されるふた１０は、飲料が持ち帰りように販売される場合の使用に特によく適する。人はコーヒーなどの飲料を容器１２に充填できまた容器１２上にふたをスナップ式に取付けて容器上方にふた１０を固定できる。消費者は従って、片手で容器１２を取り上げ歩行中あるいは乗り物に搭乗中にふた１０を取り除いたり突き通したりせずに容器から飲める。飛沫に対する追加的な防護のために、開口部は、耐漏洩性シールを形成するために開口部内部に配置されるボタンと一緒に、開口部上方にフラップを配置することによりシールできる。
【００２４】
本発明のさらに別の実施態様は、本開示の図５−７において示される。ふた１００はさまざまな型の容器と一緒に使用され、またコーヒーや類似品などの飲料用の持ち帰り用容器として一般的な型の使い捨て容器での使用に特に適する。この容器は一般的に、これに限定するものではないが、発砲スチロール、紙、あるいはプラスチックを含む材料から作製される。
【００２５】
ある事例において、図７において最もよく分るように、ふた１００は容器の縁あるいはへりと係合し環状側壁１０２の底部上に配備されるへり１０１により容器に取り付けられる。へり１０１は環状側壁１０２と容器のへりのビーズとの間でシールを形成する。
【００２６】
ふた１００は、最上壁１０４に下方から垂れ下がっている環状側壁１０２を含む。最上壁１０４は、側壁１０２が最上壁１０４と連結するほぼ円形の周縁１０５を有する。飲用開口部１０８は、最上壁１０４の周縁１０５に隣接している。図示された実施態様において、開口部１０８は最上壁１０４を貫通して形成される。別の実施態様（示されていない）に従うと、開口部は最上壁１０４の周縁１０５の直下の側壁１０２に形成される。飲用開口部１０８は、ふた１００の底端部１０９を人の下唇と接触しないようにして人が開口部から飲めるように位置決めされる。
【００２７】
凹部１１０は、ユーザの上唇に対応するよう飲用開口部１０８に隣接する最上壁１０４に形成される。これは、飲みながら漏出を無くせないまでも低減するよう口の中心にふたの開口部をほぼ位置決めして人が容器から飲むことを可能にする。
【００２８】
ある実施態様において、ふた１００の下端部１０９を彼あるいは彼女の下唇と接触せずに開口部１０８を通って人が飲むことができるに十分な距離だけ、開口部１０８をふた１０８の下端部１０９から離間できるように、側壁１０２は予め設定された距離まで下端部１０９から上方に拡がっている。
【００２９】
別の実施態様において、通気孔１１２は、凹部１１０の底面１１６と最上壁１０４との間に拡がっている傾斜面１１４の付近の最上壁１０４に形成される。最上壁１０４の平坦部分１１５は容器を支えるに十分な耐久力があるよう製作でき、その結果、ふた１０を有している複数の容器はその上でお互いの最上部に積層される。
【００３０】
さらなる実施態様において、最上壁１０４の平坦部分１１５は切り欠き部分１２０を含む。切り欠き部分は、切り欠き部分１２０の周縁上に側壁１２１、１２２、１２３を提供される。
【００３１】
図示された実施態様において、飲用開口部２０は、凹部１１０と、側壁１０２が最上壁１０４に結合する位置との間の最上面に形成される。凹部は容器から飲んでいる人の上唇に対応し、また飲用開口部２０を通しての液体の跳ね上がりも阻止する。
飲用開口部１０８を通しての液体の突発的な漏出あるいは零れを無くせないまでも低減するため、飲用開口部１０８は相対的に小さい。
【００３２】
図示された実施態様において、凹部１１０は最上壁１０４から下方へ拡がっている壁１1７により画定される。別の配置において、壁は最上壁１０４から半径方向内向きにも拡がっている。凹部１１０は側壁１０２の高さより僅かに短い深さを有する。これはふた１００を最上壁の最下部分が容器の液体に接触せずに容器上方に配置できるようにする。
【００３３】
ふたはさらに、一体に取付けられたちょうつがい式のフラップ１３０を備えていて、フラップ１３０は飲用開口部１０８内部に収納されるようになっていて、また開口部に挿入されたときそれとともに耐漏洩性シールをもたらす締り嵌めを形成するようになっている。フラップ１３０は、ふたの中点付近の最上壁１０４と切り欠き部分１２０との接合部付近で、ふたの最上壁１０４上のふた１００にちょうつがい１３４により一体に取付けられる。ある実施態様において、ちょうつがいは、本発明のための“一体のちょうつがい”であり、用語“一体のちょうつがい”は、ちょうつがいを壊さずに少なくとも２０回はふたが前後に旋回できることを意味する。フラップは、開口部１０８を覆うちょうつがいの位置から拡がるように十分長くまた十分広い。ボタン１３２は、フラップのふたの対向面に位置する。また上述のように、ボタンを開口部１0８に合った大きさと形状を有する。ボタン１３２は、開口部１０８に挿入されるとき、ボタンがそれと締まり嵌めも形成するよう十分な大きさと形状にあり、その結果、開口部上方にフラップを維持する。
【００３４】
さらに別の実施態様において、通気孔１１２が配備される。ある図示された実施態様において、通気孔は凹部部分１１０の付近の最上壁１０４上に位置決めされる。プラグ１３６はふたの対向側面上に配備され、その結果ふたが被覆状態にあるとき、プラグ５６は耐漏洩性シールを形成するため通気孔を塞ぐ。
【００３５】
本発明のある実施態様において、図８において示されるように、ふたは、もし描かれるなら、ふたの直径と飲用開口部とを通過する線から外れて位置決めされる一対の通気孔１１２を備える。フラップ１３０の下部側面１３０Ａは、通気孔１１２内部に収納される大きさにありまた位置決めされる一対のペグ１３６を提供される。フラップが閉鎖されまたペグが通気孔に収納されると、フラップは固定され閉鎖された状態に維持される。
【００３６】
図９において示されるように、さらに別の実施態様において、フラップ１３０の最上側面１３０Ｂは、少なくとも一つのペグ１４０を備え、またふたの切り欠き部分１２０は、フラップ１３０の最上側面上に位置決めされるペグ１４０を収納するための大きさにありまた位置決めされる開口部１４２を備える。フラップ１３０は、フラップの最上側面に位置決めされるペグが通気孔の開口部１４２に収納されるとき、開放状態に固定できる。
【００３７】
図１０と図１０Ａから１０Ｆの間に示される拡大図とにおいて示されるように、さらなる実施態様において、特別な様相が、フラップとふたとの間のみならずふたと容器との間のさまざまな密閉領域に対して提供される。これらの様相は単なる実例であり、またこれらの図において示される様相へ密閉方法を限定することを意味しない。
【００３８】
本発明のために、ふたが容器に係合しまた一体に取付けられちょうつがい式のフラップがふたの開口部に係合する（また通気孔が含まれるなら、フラップ上に配される手段が通気孔に係合する）とき、本発明の容器/ふた集合体は耐漏洩性である。本発明のための、語句“耐漏洩性”は、容器/ふた集合体から漏洩する流体の量が、ふたフラップが開放されまた再閉鎖されそして容器/ふた集合体が次の“耐漏洩性”試験方法のＣ節、４段を通じて試験された後、29.57cc（１オンス）未満かどうかを意味する。
【００３９】
耐漏洩性試験方法
Ａ：試験材料の準備
１．コーヒーカップふた試料と容器を収集する。
２．代表的な試料があることを確認する。
３．試験用の個々の容器/ふた集合体の試料を１０個準備する。
４．標準のコーヒーポットにコーヒーを準備する。
Ｂ：試験手順
１．容器/ふた集合体の第一次試験は、ふたのフラップが開放される前に行われる。
２．個々の容器を販売量まで満たす。容器内の正確な液量を測定する。試験用に容器を再び満たす。ふたを容器と十分にかみ合わせまたフラップをへりと十分にかみ合わせる。
Ｃ：操作方法
１．開口部が載置面の側にあるように横向きに、容器/ふた集合体を置く。
２．前記開口部が載置面の側にあるように横向きに置いた容器の１分後の容器中の液量を測定する。試験ワークシートに容器の残存液量を記録する。
３．容器を再び満たしそして横に置かれた容器の試験を５分間続行する。５分後の容器中の液量を測定する。
４．個々のふたを試験するために、ふたのフラップを開放しまた再閉鎖する。
Ｄ．耐漏洩性の決定
容器/ふた集合体は、ふたのフラップが開放されまた再閉鎖されそして容器/ふた集合体が上記Ｃの、第３ステップにより試験された後に、容器/ふた集合体から漏洩する液量が29.57cc（１オンス）未満ならば“耐漏洩性”と見なされる。
【００４０】
落下試験方法
Ａ：準備
“耐漏洩性試験方法”の“Ａ”と“Ｂ”とにおいて前述されたと同一の準備と試験手順とを用い、さらに個々のふたを試験するためにふたのフラップを開放しまた再閉鎖する。
Ｂ：操作方法
１．容器に向き合ったとき容器を垂直にひっくり返すことができまた容器がカーペット表面上に約３０．５cm（１フィート）落下するように平坦表面の端部に容器を置く。
２．容器を表面からカーペット上に払い落とす。
３．ふたが外れるかあるいはフラップが開放するかどうかを記録する。
Ｃ：耐落下衝撃性の決定
容器/ふた集合体は、もしふたが容器から外れずまたフラップが開放しないなら、
“耐落下衝撃性”と見なされる。
【００４１】
ある実施態様において、本発明のふたはワンショット成形工程において成形できる。例えば、開放状態（例えば、図２において示される状態において）のフラップを備えるふたは、割型中に射出成形される。続いて、フラップを開放状態に留めまた次に完全にふたを型から外に取出すことができるように型を分割する。
【００４２】
実施態様の図は、端部に及び拡がっているフラップを示すが、フラップの先端はふたの端部を超えて拡がらないような常態に短縮できることは当業者には容易に明らかである。実施態様が図面に説明されまた図示されてきたが、請求された主題はいずれかの特殊な実施態様に限定されずに、法律下で許容される最も広範な適用範囲を含めることを意図したものである。
【図面の簡単な説明】
【００４３】
【図１】図１は、本発明のふたの側面図である。
【図２】図２は、図１のふたの断面図である。
【図３】図３は、本発明のふたの閉鎖状態においての透視図である。
【図４】図４は、本発明のふたの開放状態においての透視図である。
【図５】図５は、本発明のさらに別の実施態様の透視図であり、開放状態のふたを備えている。
【図６】図６は、図５において示される実施態様の透視図であり、閉鎖状態のふたを備えている。
【図７】図７は、図５において示される実施態様の断面図である。
【図８】図８は、本発明の別の実施態様の図である。
【図９】図９は本発明のさらに別の実施態様の図である。
【図１０】図１０は、本発明の別の実施態様の断面図である。
【図１０Ａ】図１０Aは、図１０において示されるさまざまな断面の拡大図である。
【図１０Ｂ】図１０Bは、図１０において示されるさまざまな断面の拡大図である。
【図１０Ｃ】図１０Cは、図１０において示されるさまざまな断面の拡大図である。
【図１０Ｄ】図１０Dは、図１０において示されるさまざまな断面の拡大図である。
【図１０Ｅ】図１０Eは、図１０において示されるさまざまな断面の拡大図である。また、
【図１０Ｆ】図１０Fは、図１０において示されるさまざまな断面の拡大図である。
【図１】
2007502758.tif 000003
【図２】
2007502758.tif 000004
【図３】
2007502758.tif 000005
【図４】
2007502758.tif 000006
【図５】
2007502758.tif 000007
【図６】
2007502758.tif 000008
【図７】
2007502758.tif 000009
【図８】
2007502758.tif 000010
【図９】
2007502758.tif 000011
【図１０】
2007502758.tif 000012
【図１０Ａ】
2007502758.tif 000013
【図１０Ｂ】
2007502758.tif 000014
【図１０Ｃ】
2007502758.tif 000015
【図１０Ｄ】
2007502758.tif 000016
【図１０Ｅ】
2007502758.tif 000017
【図１０Ｆ】
2007502758.tif 000018
【国際調査報告】
2007502758.tif 000019